(57)【要約】【課題】ユーザの意向を反映しつつ、撮影した画像データと共に検知した匂いに関する情報を記録しうるカメラを提供する。【解決手段】被写体光を撮像する撮像素子から出力される撮像信号に基づく画像データを記録するカメラ１であって、複数の匂い成分を検知する匂い検知部２２と、前記匂い検知部により検知された前記匂い成分に基づく匂い情報を記録するか否かの選択を行う選択部２３と、前記選択部により前記匂い情報を記録する選択が行われた場合に、前記匂い情報を前記画像データと対応づけて記録する記録制御部２３とを備える。【選択図】図１
2010087940.tif 000002
【特許請求の範囲】
【請求項１】
被写体光を撮像する撮像素子から出力される撮像信号に基づく画像データを記録するカメラであって、
複数の匂い成分を検知する匂い検知部と、
前記匂い検知部により検知された前記匂い成分に基づく匂い情報を記録するか否かの選択を行う選択部と、
前記選択部により前記匂い情報を記録する選択が行われた場合に、前記匂い情報を前記画像データと対応づけて記録する記録制御部と
を備えることを特徴とするカメラ。
【請求項２】
前記検知部により前記匂い成分を検知するタイミングを指定するタイミング指定部を備えることを特徴とする請求項１記載のカメラ。
【請求項３】
特定の匂いを示す特定匂い情報を記憶する匂い情報記憶部と、
前記匂い情報記憶部に記憶されている前記特定匂い情報のうち、前記検知部により検知された前記匂い成分に基づく前記特定匂い情報を表示する表示部と、
前記特定匂い情報の少なくとも一つの選択を行う匂い選択部とを備え、
前記記録制御部は、前記匂い選択部により選択された前記特定匂い情報を前記画像データと対応づけて記録することを特徴とする請求項１又は２記載のカメラ。
【請求項４】
画像データと当該画像データに対応づけられた匂い情報とを記憶する画像記憶部と、
特定の匂いを示す特定匂い情報を記憶する特定匂い情報記憶部と、
前記特定匂い情報記憶部に記憶されている前記特定匂い情報から、前記画像データに対応づけられた前記匂い情報に対応する前記特定匂い情報を表示する表示部と、
前記特定匂い情報の少なくとも一つの選択を行う匂い選択部と、
前記匂い選択部により選択された前記特定匂い情報を前記画像データと対応づけて記録する記録制御部と
を備えることを特徴とする画像処理装置。
【請求項５】
前記画像データと当該画像データに対応する匂い情報とを記憶する記憶部と、
前記記憶部に記憶されている前記画像データの前記匂い情報に基づく匂いを出力するか否かの選択を行う出力選択部と、
前記出力選択部により前記匂いを出力する選択が行われた場合に、前記画像データに対応する前記匂い情報のうち、当該画像データと共に出力する前記匂い情報の選択を行う匂い選択部と、
前記匂い選択部により選択された前記匂い情報に基づく匂いを生成し、生成した前記匂いを前記画像データと共に出力する出力制御部と
を備えることを特徴とする画像出力装置。
【発明の詳細な説明】
【技術分野】
【０００１】
本発明は、匂いを検知可能なカメラ、画像データを記録する画像処理装置、及び画像データを出力する画像出力装置に関するものである。
【背景技術】
【０００２】
従来、匂いセンサにより検知した匂いの情報をエンコードして記録し、記録した匂い情報をデコードして匂いを再生する装置が知られている(特許文献１参照)
【特許文献１】特開平７−５５７４２号公報
【発明の開示】
【発明が解決しようとする課題】
【０００３】
ところで、上記の装置においては、撮影した画像データに撮影時の匂い情報を付加して記録し、画像データを再生する際に匂い情報に基づく匂いを再生することで、画像だけでなく匂いにより、撮影時の記憶をより鮮明に呼び起こすことも可能である。しかしながら、匂いの中には不快感を生じさせる匂いもあり、また、ユーザ毎に匂いの嗜好も異なるため、検知した全ての匂いの情報を画像に付加して記録し、再生することがユーザにとって望ましいとは限らない。
【０００４】
本発明の目的は、ユーザの意向を反映しつつ、撮影した画像データと共に匂いに関する情報を記録しうるカメラ、及び画像処理装置を提供すること、また、ユーザの意向に応じて、画像データと共に匂いを出力する画像出力装置を提供することである。
【課題を解決するための手段】
【０００５】
本発明のカメラは、被写体光を撮像する撮像素子から出力される撮像信号に基づく画像データを記録するカメラであって、複数の匂い成分を検知する匂い検知部と、前記匂い検知部により検知された前記匂い成分に基づく匂い情報を記録するか否かの選択を行う選択部と、前記選択部により前記匂い情報を記録する選択が行われた場合に、前記匂い情報を前記画像データと対応づけて記録する記録制御部とを備える。
【０００６】
また、本発明の画像処理装置は、画像データと当該画像データに対応づけられた匂い情報とを記憶する画像記憶部と、特定の匂いを示す特定匂い情報を記憶する特定匂い情報記憶部と、前記特定匂い情報記憶部に記憶されている前記特定匂い情報から、前記画像データに対応づけられた前記匂い情報に対応する前記特定匂い情報を表示する表示部と、前記特定匂い情報の少なくとも一つの選択を行う匂い選択部と、前記匂い選択部により選択された前記特定匂い情報を前記画像データと対応づけて記録する記録制御部とを備える。
【０００７】
また、本発明の画像出力装置は、前記画像データと当該画像データに対応する匂い情報とを記憶する記憶部と、前記記憶部に記憶されている前記画像データの前記匂い情報に基づく匂いを出力するか否かの選択を行う出力選択部と、前記出力選択部により前記匂いを出力する選択が行われた場合に、前記画像データに対応する前記匂い情報のうち、当該画像データと共に出力する前記匂い情報の選択を行う匂い選択部と、前記匂い選択部により選択された前記匂い情報に基づく匂いを生成し、生成した前記匂いを前記画像データと共に出力する出力制御部とを備える。
【発明の効果】
【０００８】
本発明に係るカメラは、ユーザの意思に応じて、撮影した画像データと共に検知した匂い情報を記録することができる。また、本発明に係る画像処理装置は、ユーザの意向を反映した匂い情報を画像データと共に記録することができる。また、本発明に係る画像出力装置は、ユーザの意思に応じて、画像データと共に匂いを出力することができる。
【発明を実施するための最良の形態】
【０００９】
以下、本発明の実施形態に係るカメラついて説明する。図１は、本実施形態に係るカメラの構成図である。本実施形態に係るカメラ１は、撮影レンズ１１、ＣＣＤ１２、ＣＣＤドライバ１３、プリプロセス回路１４、Ａ／Ｄ変換回路１５、ＡＳＩＣ(Application Specific Integrated Circuit)１６、メモリ１７、カラーモニタ１８、操作部１９、メモリーカードＩ／Ｆ２０、外部Ｉ／Ｆ２１、匂いセンサ２２、及びＣＰＵ２３を備えて構成されている。
【００１０】
ＣＣＤ１２は、撮影レンズ１１を介した被写体光を撮像して被写体の明るさに応じた電荷を蓄積し、ＣＣＤドライバ１３の制御の下、蓄積した電荷のアナログ信号をプリプロセス回路１４に出力する。プリプロセス回路１４は、ＣＣＤ１２から出力されたアナログ信号を増幅し、雑音除去や黒レベル調整等のアナログ処理を行う。Ａ／Ｄ変換回路１５は、プリプロセス回路１４でアナログ処理されたアナログ信号をデジタル信号に変換する。
【００１１】
ＡＳＩＣ１６は、Ａ／Ｄ変換回路１５によって変換されたデジタル信号に対する輪郭補償やガンマ補正等の画像処理を行う。また、ＡＳＩＣ１６は、Ｅｘｉｆ(Exchangeable Image File Format)規格に従って、撮像した画像データの撮影日時の情報等を含むＥｘｉｆ情報、画像処理後の画像データを所定サイズに縮小したサムネイル画像を生成し、Ｅｘｉｆ情報、サムネイル画像、及び画像処理後の画像データについてＪＰＥＧ等の方式で圧縮を行う。
【００１２】
メモリ１７は、カメラ１の設定情報等を記憶する。カラーモニタ１８は、液晶ディスプレイで構成され、撮影画像、メニュー画像、カメラ設定情報等を表示する。操作部１９は、電源スイッチ、レリーズボタン等の操作ボタンを含んで構成されており、ユーザ操作を受付ける。
【００１３】
メモリーカードＩ／Ｆ２０は、着脱可能なメモリーカード３０との接続インタフェースであり、メモリーカード３０とカメラ１との間でコマンドやデータ等の送受信を中継する。外部Ｉ／Ｆ２１は、ＰＣやディスプレイ等の機器を接続するＵＳＢ等の接続インタフェースであり、接続された機器とカメラ１との間の通信を中継する。
【００１４】
また、メモリーカード３０は、ＳＤカード等で構成され、データを記憶するフラッシュメモリと、メモリーカードＩ／Ｆ２０を介してカメラ１から送信されるコマンドに応じて、データ書き込み又は読み出しの制御を行うメモリコントローラ、データ書き込み単位等のカード属性情報を記憶するレジスタを含んで構成されており、ＦＡＴ等のファイルシステムを適用してフォーマットされている。
【００１５】
匂いセンサ２２は、所定の匂いの成分を検知するセンサ群で構成され、カメラ１の周囲における匂い成分を検知する。図２は、匂いセンサ２２が匂い成分を検知した結果の例を示しており、同図に示すように、匂いセンサ２２は匂い成分Ｘ１〜Ｘｎを検知可能であり、検知した匂い成分について検出値を出力する。ＣＰＵ２３は、図示しないＲＯＭ及びＲＡＭを含んで構成されており、ＲＯＭに記憶されたプログラムを実行することによりカメラ１を構成する各部を制御する。
【００１６】
以下、図３を用いて、本実施形態に係るカメラ１の動作について説明する。図３は、カメラ１の動作フロー図である。尚、以下の動作説明において、カメラ１の電源はＯＮの状態であるものとし、メモリーカードＩ／Ｆ２０にはメモリーカード３０が挿入されているものとする。
【００１７】
ＣＰＵ２３は、ユーザにより操作部１９を介して撮像指示がなされた場合に(ステップＳ１１：Ｙ)、匂いセンサ２２によりカメラ１の周囲における匂い成分を検知し、検知した匂い成分の検出値を匂い情報としてＲＡＭに記憶する(ステップＳ１２)。また、ＣＰＵ２３は、被写体光を撮像した撮像信号について画像処理を行い、Ｅｘｉｆ情報を付加した画像ファイルを生成する(ステップＳ１３)。
【００１８】
ＣＰＵ２３は、撮像時に検知した匂いの情報を画像ファイルと対応づけて記録するか否かをユーザに選択させるための選択メニュー画像を表示する(ステップＳ１４)。そして、ユーザが操作部１９を介して匂い情報を画像ファイルと共に記録する選択を行った場合(ステップＳ１４：Ｙ)、ＣＰＵ２３は、ＲＡＭに記憶している匂い情報を読み出し、ステップＳ１３において生成した画像ファイルのＥｘｉｆ情報に匂い情報を含めてメモリーカード３０に記録する(ステップＳ１５)。
【００１９】
また、ステップＳ１４において、ユーザが操作部１９を介して匂い情報を画像ファイルと対応づけて記録しないことを選択した場合(ステップＳ１４：Ｎ)、ＣＰＵ２３は、ステップＳ１３において生成した画像ファイルをメモリーカード３０に記録する(ステップＳ１６)。
【００２０】
なお、ＣＰＵ２３は、ステップＳ１１において、ユーザにより操作部１９を介して撮像指示がなされなかった場合(ステップＳ１１：Ｎ)、撮像指示がなされるまで電源ＯＮの状態で待機する。
【００２１】
次に、上述したカメラ１によりメモリーカード３０に記録された画像ファイルの再生について説明する。図４は、カメラ１に挿入されているメモリーカード３０内の画像ファイルを画像出力装置で再生する場合の例を示している。画像出力装置２は、カメラ１の外部Ｉ／Ｆ２１と接続されており、操作ボタン部４２とディスプレイ４５を備え、複数種類の芳香剤が入れられた芳香容器(不図示)を内蔵している。画像出力装置２に内蔵されている各芳香容器の蓋(不図示)は開閉可能であり、画像出力装置２は、ディスプレイ４５に画像を表示すると共に、各芳香容器の蓋を開放し、画像出力装置２の上部に設けられた出力口４から芳香剤を所定量噴霧する機構を備えている。
【００２２】
以下、図５を用いて、画像出力装置２のシステム構成について説明する。画像出力装置２は、ＣＰＵ４０、通信Ｉ／Ｆ４１、操作部４２、記憶部４３、芳香容器開閉部４４(４４ａ〜４４ｅ)、及びディスプレイ４５を備えている。
【００２３】
ＣＰＵ４０は、図示しないＲＯＭ及びＲＡＭを含んで構成されており、ＲＯＭに記憶されたプログラムを実行することにより画像出力装置２を構成する各部を制御する。通信Ｉ／Ｆ４１は、カメラ１とＵＳＢ等の接続を行うための通信インタフェースであり、カメラ１の外部Ｉ／Ｆ２１を介してカメラ１と画像出力装置２との間の通信を中継する。
【００２４】
操作部４２は、電源ボタンや再生する画像の選択等を行う選択ボタンを含んで構成されており、ユーザからの操作を受付ける。記憶部４３は、再生する画像ファイル、各芳香容器に入れられた芳香剤に含まれる匂いの成分の情報(以下、芳香成分情報)を記憶する。図６は、本実施形態における芳香成分情報のテーブル例を示している。図６に示すように、芳香成分情報２００は、各芳香容器に入れられている“Ａ芳香剤”〜“Ｅ芳香剤”の芳香剤名称と、各芳香剤に含まれる匂い成分とを対応づけて記憶している。ディスプレイ４５は、再生する画像やメニュー画像等を表示する。芳香容器開閉部４４は、Ａ芳香容器〜Ｅ芳香容器の各芳香容器の蓋の開閉と、各蓋を開放した場合に所定量の芳香剤の噴霧する。
【００２５】
以下、本実施形態に係る画像出力装置２の動作について、図７の動作フロー図を用いて説明する。尚、画像出力装置２は通信Ｉ／Ｆ４１を介してカメラ１と接続されており、カメラ１及び画像出力装置２の電源はＯＮの状態であるものとし、カメラ１のメモリーカードＩ／Ｆ２１にはメモリーカード３０が挿入されているものとする。
【００２６】
画像出力装置２において画像の再生を行う場合には、ＣＰＵ４０は、通信Ｉ／Ｆ４１を介してカメラ１のメモリーカード３０に記憶されている画像ファイルを取得して記憶部４３に記憶する(ステップＳ２１)。ＣＰＵ４０は、ユーザにより操作部４２を介して画像の再生指示がなされた場合に(ステップＳ２２：Ｙ)、ステップＳ２１において記憶部４３に記憶した画像ファイルを順次読み出す(ステップＳ２３)。
【００２７】
ＣＰＵ４０は、ステップＳ２３において読み出した各画像ファイルのＥｘｉｆ情報を参照し、Ｅｘｉｆ情報に匂い情報が含まれているか否か判断する(ステップＳ２４)。ＣＰＵ４０は、ステップＳ２４において、画像ファイルのＥｘｉｆ情報に匂い情報が含まれていると判断した場合には(ステップＳ２４：Ｙ)、記憶部４３における芳香成分情報２００を参照して、その匂い情報が示す匂い成分を含む芳香剤名称を選択する(ステップＳ２５)。ここで、例えば、再生する画像ファイルのＥｘｉｆ情報に、匂い成分Ｘ１、Ｘ３、Ｘ４の情報が含まれている場合、図６の芳香成分情報２００において、成分Ｘ１、Ｘ３、Ｘ４を含む“Ａ芳香剤”を再生対象として選択する。
【００２８】
ＣＰＵ４０は、画像ファイルの画像の再生と共に匂いの再生を行うか否かの選択と、匂いを再生する場合に、ステップＳ２５において選択した芳香剤名称の匂いのうちどれを再生するのかをユーザに選択させるための選択メニュー画像をディスプレイ４５に表示する(ステップＳ２６)。なお、図６の例の場合には、再生対象の芳香剤が１つだけであるので、この場合には匂いを再生する選択を行うと同時に“Ａ芳香剤”を選択することになる。また、再生対象となる芳香剤が複数ある場合には、その複数の芳香剤名称を表示して再生する芳香剤名称をユーザに選択させる。
【００２９】
ユーザが操作部４２を介して匂いを再生する旨の選択と、再生する匂いの選択を行った場合に(ステップＳ２６：Ｙ)、ＣＰＵ４０は、ユーザが選択した匂いの芳香剤名称に対応する芳香容器開閉部４４の蓋を開放して所定量の芳香剤を出力口４から噴霧し、再生する画像ファイルの画像データをディスプレイ４５に表示する(ステップＳ２７)。
【００３０】
また、ステップＳ２４において、再生する画像ファイルのＥｘｉｆ情報に匂い情報が含まれていないと判断した場合 (ステップＳ２４：Ｎ)、及び、ステップＳ２６において、ユーザが操作部４２を介して匂いを再生する選択を行わなかった場合(ステップＳ２６：Ｎ)、ＣＰＵ４０は、再生する画像ファイルの画像をディスプレイ４５に表示する(ステップＳ２８)。
【００３１】
尚、ステップＳ２２において、ユーザにより操作部４２を介して画像の再生指示がなされなかった場合には(ステップＳ２２：Ｎ)、ＣＰＵ４０は、再生指示がなされるまで待機する。
【００３２】
上述した実施形態では、ユーザの好み等に応じて匂いに関する情報を画像ファイルと共に記録することができるので、ユーザが記憶に残したい匂いだけを記録することができる。また、画像を再生する際に匂いの再生を行うかどうかをユーザが選択できるため、画像を再生する環境等に応じて匂いの再生を制御することができる。また、再生対象となる匂いが複数ある場合、ユーザがどの匂いを再生するか選択することができるので、周囲に不快感を与えるような匂いを再生しないようにすることができる。
【００３３】
なお、上述した実施形態に係るカメラ１は、ユーザによって撮像指示がなされた場合に匂いセンサにより匂いの成分を検知するものとして説明したが、匂いを検知するタイミングをユーザが指定できるようにしてもよい。例えば、撮影位置から被写体まで距離が離れている場合には、撮影前若しくは撮影後に、被写体の位置で匂いの成分を検知し、検知した匂いの情報をメモリに記憶しておく。そして、その匂いの情報と共に記録する画像ファイルをユーザが指定し、指定された画像ファイルにその匂いの情報を対応づけて記録する。
【００３４】
また、上述した実施形態に係るカメラ１において、画像ファイルと対応づけて記録する匂い情報は、匂いセンサにより検知された匂い成分の検出結果であるものとして説明したが、特定の匂いや芳香剤に含まれる匂い成分を示す情報をカメラ１のメモリ１７に予め記憶しておき、検知した匂い成分を含む特定の匂いや芳香剤の名称等を匂い情報として記録するようにしてもよい。また、検知した匂い成分に対応する匂い情報が複数ある場合には、その匂い情報のうちユーザが選択した匂い情報を画像ファイルと対応づけて記録してもよい。
【００３５】
また、上述した実施形態に係る画像出力装置２は、匂い情報における匂い成分を含む芳香剤名称を選択するものとして説明したが、匂い情報に含まれる匂い成分の量や比率等に応じて対応する芳香剤の種類を選択するようにしてもよい。
【００３６】
また、上述した実施形態に係る画像出力装置２は、画像ファイルに対応づけて記憶された匂い情報に対応する芳香剤を予め定められた所定量を噴霧するものとして説明したが、画像出力装置２において芳香剤を出力する量や時間をユーザが指定してもよいし、カメラ１において画像ファイルと匂い情報を記録する際に、ユーザが設定できるようにしてもよい。
【００３７】
また、上述した実施形態に係る画像出力装置２は、予め画像ファイルに匂い情報が対応づけて記憶されているものとして説明したが、匂い情報が対応づけられていない画像ファイルに対してユーザ操作により対応づけるようにしてもよい。この場合、例えば、画像ファイルの画像をディスプレイに表示し、複数の特定の匂いや芳香剤を示す匂い情報を表示する。ユーザは、画像に対応づけたい匂い情報を選択し、画像出力装置２は選択された匂い情報をその画像のＥｘｉｆ情報に含めて記録する。
【００３８】
また、上述した実施形態に係るカメラ１は、撮像処理(図３ステップＳ１３)の後、ステップＳ１４において、撮像時に検知した匂いの情報を画像ファイルと対応づけて記録するか否かを示す選択メニュー画像を表示するものとして説明したが、ユーザが撮像操作を行ったときに(ステップＳ１１：Ｙ)、選択メニュー画像を表示するようにしてもよい。この場合、ユーザが匂い情報を記録する旨の選択を行ったときには、図３のステップＳ１２、１３、１５の順に処理を行う。また、ユーザが匂い情報を記録しない旨の選択を行ったときには、ステップＳ１２の匂い検出を行わずに、ステップＳ１３、１６の順に処理を行う。
【００３９】
また、上述した実施形態に係るカメラ１は、カメラ１に内蔵された匂いセンサにより匂い成分を検知するものとして説明したが、カメラ１に接続された他の機器に備えられた匂いセンサを用いてもよい。この場合には、カメラ１から他の機器における匂いセンサに対して匂いを検知するタイミングを指示し、検知結果を他の機器を介して取得する。
【００４０】
また、上述した実施形態に係るカメラ１は、画像ファイルと匂いの再生を画像出力装置２において行うものとして説明したが、カメラ１において行うようにしてもよいし、匂いの再生のみをカメラ１又は画像出力装置２に接続された匂い再生装置により行うようにしてもよい。
【００４１】
カメラ１で匂いの再生を行う場合、実施形態で説明した画像出力装置と同様、カメラ１には、匂いを再生するための芳香剤が入れられた芳香容器を内蔵し、芳香剤を出力するための出力口を備え、各芳香剤に対応する匂い成分の情報をメモリ１７に記憶する。そして、画像ファイルの再生時において、画像ファイルに対応づけられた匂い情報に対応する芳香剤名称を選択し、選択した芳香剤名称をカラーモニタ１８に表示する。ユーザは、表示された芳香剤名称の中から再生する芳香剤名称を選択し、カメラ１はユーザが選択した芳香剤名称の芳香剤を出力する。
【００４２】
また、匂い再生装置により匂いの再生を行う場合、カメラ１又は画像出力装置２において匂い情報に対応する芳香剤名称を選択し、その芳香剤名称をカメラ１又は画像出力装置２において表示する。ユーザは、表示された芳香剤名称の中から再生する芳香剤名称を選択し、カメラ１又は画像出力装置２は、ユーザが選択した芳香剤名称を示す情報を匂い再生装置へ送出する。匂い再生装置は、カメラ１又は画像出力装置２により送出された芳香剤名称を示す情報に対応する芳香剤を出力する。
【００４３】
また、上述した実施形態に係る画像出力装置２は、画像を表示するディスプレイを備えた装置であるものとして説明したが、紙媒体等に画像を印刷するプリンタ等の装置であってもよい。この場合には、実施形態と同様にユーザが匂いの再生を選択したとき、再生する画像ファイルの画像を紙に印字すると共に、その画像ファイルに対応づけられた匂い情報と対応する芳香剤を紙に塗布する。
【図面の簡単な説明】
【００４４】
【図１】実施形態に係るカメラの構成図である。
【図２】実施形態における匂いセンサの検知結果例を示す図である。
【図３】実施形態に係るカメラの動作フロー図である。
【図４】実施形態におけるカメラと画像出力装置の概略図である。
【図５】実施形態に係る画像出力装置のシステム構成図である。
【図６】実施形態における芳香成分情報の例を示す図である。
【図７】実施形態に係る画像出力装置の動作フロー図である。
【符号の説明】
【００４５】
１…カメラ、２…画像出力装置、１１…撮影レンズ、１２…ＣＣＤ、１３…ＣＣＤドライバ、１４…プリプロセス回路、１５…Ａ／Ｄ変換回路、１６…ＡＳＩＣ、１７…メモリ、１８…カラーモニタ、１９、４２…操作部、２０…メモリーカードＩ／Ｆ、２１…外部Ｉ／Ｆ、２２…匂いセンサ、２３、４０…ＣＰＵ、３０…メモリーカード、４１…通信Ｉ／Ｆ、４３…記憶部、４４…芳香容器開閉部、４５…ディスプレイ、
【図１】
2010087940.tif 000003
【図２】
2010087940.tif 000004
【図３】
2010087940.tif 000005
【図４】
2010087940.tif 000006
【図５】
2010087940.tif 000007
【図６】
2010087940.tif 000008
【図７】
2010087940.tif 000009